(57)【特許請求の範囲】
【請求項１】
巻取ドラムの軸心部に設けた軸孔へ、回転アームを備えたハンドルの回転軸を購入者が組付けるようにしたホース巻取器において、該巻取ドラムの軸孔を多角形にするとともに奥部に段差状の凹入部５ａを設け、該ハンドルの回転軸は、該多角形の軸孔に挿嵌可能な多角筒状で、その外周面の少なくとも１面における先端から幾分隔てた箇所に、該凹入部５ａに係合して抜止する係合突部７を設け、先端部に切欠部を設けずに該係合突部７を設けた部分が撓み変形して該軸孔に挿嵌できるように、該係合突部７のある先端側部分を基端側部分より薄肉に形成したことを特徴とするホース巻取器。
【請求項２】
巻取ドラムの軸心部に設けた軸孔へ、回転アームを備えたハンドルの回転軸を購入者が組付けるようにしたホース巻取器において、該巻取ドラムの軸孔を多角形にするとともに奥部に段差状の凹入部５ａを設け、該ハンドルの回転軸は、該多角形の軸孔に挿嵌可能な多角筒状で、その外周面の少なくとも１面における先端から幾分隔てた箇所に、該凹入部５ａに係合して抜止する係合突部７を設け、該係合突部７を設けた部分が撓み変形して該軸孔に挿嵌できるように、先端部に切欠部を設けずに該係合突部７を挟むようにして、２条の平行スリットを軸方向に設けたことを特徴とするホース巻取器。
【発明の詳細な説明】
【０００１】
【産業上の利用分野】
本発明は、巻取ドラムへの、ハンドルの組付構造を改良した、散水ホース等用のホース巻取器に関する。
【０００２】
【従来の技術】
巻取ドラムを回転させるハンドル部分は、ドラムに対して嵌着式に組付けられる様にして置けば、保管・輸送に便利である。
そこで、例えば、図６，７に示した従来のホース巻取器は、ドラム５１の軸心部に設けた円筒形の挿嵌孔５２と、この孔に挿嵌させるハンドル６１の回転軸６２との夫々の摺接面に、複数条の係合用凹条５３及び係合突条６３を設けて、ハンドル６１の空転を防いでいる。６４は回転アームである。
そして、回転軸６２を抜止するには、その先端に先拡がり状に設けた弾性変形可能な係止爪６５が、回転軸６２を挿嵌し終えた段階で、挿嵌孔５２の奧端に設けた段差箇所５４に引っ掛かる様にしている。
合成樹脂製のこのホース巻取器は、ハンドル６１と、回転軸６２とを個別に製作し、後で組合わせている。５５はフレーム、５５ａは軸孔である。
【０００３】
【発明が解決しようとする課題】
然しながら、上記従来のホース巻取器は、ハンドル６１の空転防止の為の係合構造が複雑な為、その分、部材の肉厚を増す必要がある。その結果、成形性が悪くなって寸法精度を出し難くなり、回転軸６２の嵌合状態にガタが生じ勝ちになる。その上、製作費も嵩む。然も、挿嵌孔５２に回転軸６２を挿嵌する際に、先広がり状の係止爪６５がスムーズな挿嵌操作を妨げて手こずる難点があった。更には、先端部に係止爪６５を形成させる為の切欠部分が、成形寸法精度を出し難くするので、回転軸６２の嵌合状態がキツ過ぎたり、逆に弱過ぎたりし勝ちになる。又、ハンドル６１は、回転アーム６４と回転軸６２とを別体に作っているので、両者を廻り止め状態で組付ける等の為に、更に製作費が嵩むことになる。そこで、本発明は、購入者が簡便確実かつ安全に巻取ドラムにハンドルを組付けることができる経済的な合成樹脂製のホース巻取器を提供することを目的としている。
【０００４】
【課題を解決するための手段】
上記の目的を達成するため、請求項１の発明のホース巻取器は次の手段を採った。すなわち、巻取ドラムの軸心部に設けた軸孔へ、回転アームを備えたハンドルの回転軸を購入者が組付けるようにしたホース巻取器において、該巻取ドラムの軸孔を多角形にするとともに奥部に段差状の凹入部５ａを設け、該ハンドルの回転軸は、該多角形の軸孔に挿嵌可能な多角筒状で、その外周面の少なくとも１面における先端から幾分隔てた箇所に、該凹入部５ａに係合して抜止する係合突部７を設け、先端部に切欠部を設けずに該係合突部７を設けた部分が撓み変形して該軸孔に挿嵌できるように、該係合突部７のある先端側部分を基端側部分より薄肉に形成したことを特徴としている。
また、請求項２の発明のホース巻取器は、巻取ドラムの軸心部に設けた軸孔へ、回転アームを備えたハンドルの回転軸を購入者が組付けるようにしたホース巻取器において、該巻取ドラムの軸孔を多角形にするとともに奥部に段差状の凹入部５ａを設け、該ハンドルの回転軸は、該多角形の軸孔に挿嵌可能な多角筒状で、その外周面の少なくとも１面における先端から幾分隔てた箇所に、該凹入部５ａに係合して抜止する係合突部７を設け、該係合突部７を設けた部分が撓み変形して該軸孔に挿嵌できるように、先端部に切欠部を設けずに該係合突部７を挟むようにして、２条の平行スリットを軸方向に設けたことを特徴としている。
【０００５】
【作用】
ホース巻取器のハンドルは購入者が巻取ドラムの軸心部に設けた軸孔に嵌着させるが、ハンドルの回転軸を多角形の軸孔に挿嵌可能な多角筒状としたので、ハンドルの空廻りを防ぐ係止手段を別個に設ける必要がなくなる。又、軸孔の奥部に設けた凹入部５ａに係合する係合突部７は、回転軸の先端から幾分隔たった箇所に設けてあるので、回転軸の先端に膨出部を設けた従来のものとは異なって、軸孔への回転軸の挿嵌操作を、手こずること無く極めてスムーズに行える。そして、回転軸は、その先端部に切欠部を設けずに、請求項１では係合突部７を設けた先端側部分を基端側部分より薄肉にし、また、請求項２では、係合突部７を挟んで２条の平行スリットを設けることによって、回転軸４の挿嵌途中で係合突部７を設けた部分が撓み変形し易くなり、スムーズな挿嵌を行える。
すなわち、回転軸の先端部分に切欠部がなく、係合突部７が回転軸の先端から幾分隔たった箇所に設けてあるので、この先端部は、軸孔夫々の周面が全面接触した状態となり、挿嵌をガイドする。回転軸を押し込んで行くと係合突部７が、軸孔の孔縁部と干渉するが、このとき押込力を幾分強めることにより、係合突部７を設けた部分が撓んで容易に押し込むことができる。そして、係合突部７が凹入部５ａに嵌まり込むと抜止状態になる。
【０００６】
【実施例】
以下に、図１，２及び図４，５を参照しながら本発明の一実施例を説明する。
図１に於いて、１はホース（図示略）を巻き取る巻取ドラムで、そのドラム軸２には、ハンドル３の回転軸４を挿嵌させる軸孔５を設けている。
この軸孔５の横断面は、正六角形に形成されており、軸孔５の奧端には、段差状の凹入部５ａを周設している。
【０００７】
ハンドル３の回転アーム６は、複数列の縦リブ６ａと複数列の横リブ６ｂとを、格子状に組合わせたハニカム様構造にすることによって、必要強度を確保しながら大幅に軽量化させている。
そして、回転軸４は、回転アーム６の基端側に一体成形している。
【０００８】
回転軸４は、ドラム軸２に設けた軸孔５に、ガタ付き無く挿嵌させられる、六角筒状に形成している。
図２に示した様に、回転軸４の外周面を構成する６面のうち対向する２面には、軸孔５の奧端の凹入部５ａに抜止状態で係合させる楔形の係合突部７を夫々設けている。
この係合突部７は、回転軸４の先端４ａから幾分隔てた箇所に位置させている。
【０００９】
筒状の回転軸４の肉厚は一様にせず、図１に示した様に、その基端側部分は、必要強度を確保し得る肉厚に設定し、回転トルクの伝達に殆ど関与させなくて済む先端側部分は、薄肉にしている。
これによって、軸孔５に回転軸４を挿嵌させる際に、係合突部７を設けた部分の近傍が、図２に破線で誇張して示した様に、軸孔５の周壁に押されて撓み変形し易くなる様にしている。
【００１０】
次に、上記構成の作用を説明する。
ホース巻取器は、その出荷時には、なるべく嵩張らない様に、ハンドル３は、巻取ドラム１から取外した状態で梱包される。
そこで、ホース巻取器の購入者は、梱包を解いたうえ、巻取ドラム１にハンドル３を組付ける必要がある。
【００１１】
これを行うには、ハンドル３の回転軸４を、巻取ドラム１の軸孔５に挿嵌させればよいが、その際、この先端部には、図６，７に示した従来技術のものとは異なって、挿嵌を妨げる突起部が全く存在しないし、切欠部も設けていないので、回転軸４と軸孔５との夫々の周面が全面接触した安定な状態で、極めてスムーズに挿嵌させることが出来る。
つまり、突起部が全く存在しない先端部は、回転軸４の先端部を軸孔５に挿嵌させる操作を、ガイドする役割を果してくれる。
そして、回転軸４を軸孔５に更に押し込んで行くと、図１から理解される様に、係合突部７が、軸孔５の孔縁部と干渉することになる。
【００１２】
しかし、筒状の回転軸４は、係合突部７を設けた部分をかなり薄肉にしてあり、然も、係合突部７は楔形に形成してあるので、押込力を幾分強めるだけで、係合突部７を設けた部分が撓み変形し、引き続いて容易に押し込み続けることができる。そして、係合突部７が軸孔５の奥端近くに設けた凹入部５ａに達すると、軸孔５の内壁面による押圧を解かれた係合突部７が凹入部５ａに嵌まり込んで、回転軸４は巻取ドラム１に対して抜止された状態になる。
【００１３】
又、回転軸４と軸孔５とは、夫々互いに係合する六角筒状に形成されているので、ハンドル３は、巻取ドラム１に対して格別の廻り止手段を講じなくても、確実に廻り止めされる。
かくして、ホース巻取器の組立は殆どワンタッチ操作で、簡単・迅速に完了する。
【００１４】
図３は、本発明の他の実施例の要部を示している。
上記実施例との相異点は、回転軸４の、係合突部７を設けた部分の近傍を、より撓み変形し易くしたところにある。
即ち、六角筒状の回転軸４の六面のうち、係合突部７を設けた面には、係合突部７を挟んで、所定長さの２条の平行スリット８，８を、軸方向に設けている。これによって、平行スリット８，８に挟まれた部分が、板ばねの様に作用するので、係合突部７を設けた部分を、より容易に撓み変形させられる。
【００１５】
次に、図４及び図５は、この実施例のハンドル３の全体構成を示した。
回転アーム６の先端側に一体成形したグリップ９は、その先端近くに係合凹部９ａを周設すると共に、先端部分の縮径を可能にする為の切込溝９ｂを設けている。
１０は、グリップ９に遊嵌させる筒状のグリップカバーである。その先端近くの内周面には、グリップ９の係合凹部９ａに抜止状態で係合させる係合突部１０ａを周設している。又、外周面には、滑り止め用の突条１０ｂを、軸方向に平行させて複数条設けている。
【００１６】
１１は、グリップカバー１０の開口端１０ｃを覆うキャップ部材である。その裏面側に突設した１組の係止爪１１ａ，１１ａは、グリップ９の切込溝９ｂ部分に沿わせて押し込んだうえ、グリップカバー１０の係合突部１０ａに抜止状態で係合させている。
【００１７】
１２は、美装用のハンドルカバーで、前述の如くハニカム構造を備えた回転アーム６の前面６ｃ及び周側面をすっぽりと覆い隠すことが出来る。
このハンドルカバー１２の前面部の内側には、キャップ部材１１のそれと同様な係止爪１２ａを、２箇所に突設している。
各係止爪１２ａは、図５に示した様に、回転アーム６の前面６ａに設けた係止孔１３の奥部の段差箇所１３ａに抜止状態で係合させている。１４は、ホース巻取器のフレームである。
【００１８】
この様に、複数の部材から成るハンドル３は、その全ての部材相互を、ワンタッチ式の嵌着手段によって極めて簡単・迅速に、且つ、確実に組立てることが出来る。
【００１９】
尚、上記各構成に於いて、細部の構造は適宜に設計変更しても本発明の目的は達成される。
例えば、軸孔５及び回転軸４の多角筒形状は、４角や５角、或は７角以上であってもよい。
又、係合突部７や、各係止爪１１ａ，１２ａ等の形状は、係合目的を果し得る限りに於いて、別の適宜の形状であっても良い等である。
【００２０】
【発明の効果】
以上説明したように、本発明のホース巻取器は、巻取ドラムの軸孔を多角形にしてハンドルの回転軸を挿嵌可能な多角筒状とするとともに、先端から幾分隔てた箇所に抜止用の係合突部７を設け、先端部は切欠部のないものとして回転軸の先端側部分を薄肉に形成するか、或いは、係合突部７を挟む２条の平行スリットを軸方向に設けたので、冒頭で述べた従来技術のものに比べて、次のような優れた効果がある。
（ａ）巻取ドラムの軸孔に、ハンドルの回転軸を挿嵌させる際に、回転軸の先端部には、挿嵌を妨げる膨出部分や切欠部分が無いので、組付けが不慣れな購入者でも、容易に安全に組付けることができる。
（ｂ） 巻取ドラムの軸孔に対する、ハンドルの回転軸の廻り止め構造は、互いに挿嵌される多角筒状の軸孔と回転軸との組合わせによっているので、構造の簡素化に加えて、構造強度を顕著に高められる。
【図面の簡単な説明】
【図１】本発明の一実施例を示すもので、巻取ドラムへのハンドルの組付構造を示した部分斜視図である。
【図２】同上、ハンドルの回転軸を示した部分斜視図である。
【図３】本発明の他の実施例を示すもので、ハンドルの回転軸の部分斜視図である。
【図４】ハンドルの全体構成を示した、分解斜視図である。
【図５】ハンドルの組立状態を示した、縦断面図である。
【図６】従来例を示すもので、ホース巻取器の斜視図である。
【図７】同上、巻取ドラムとハンドルとの連結構造を示した部分斜視図である。
【符号の説明】
１ 巻取ドラム
２ ドラム軸
３ ハンドル
４ 回転軸
４ａ 先端部
５ 軸孔
５ａ 凹入部
６ 回転アーム
６ａ 縦リブ
６ｂ 横リブ
７ 係合突部
８ 平行スリット
９ グリップ
９ａ，１０ａ 係合凹部
９ｂ 切込溝
１０ グリップカバー
１０ｂ 突条
１０ｃ 開口端
１１ キャップ部材
１１ａ，１２ａ 係止爪
１２ ハンドルカバー
１３ 係止孔
１３ａ 段差箇所
１４ フレーム
５１ ドラム
５２ 軸孔
５３ 係合凹条
５４ 段差箇所
５５ フレーム
６１ ハンドル
６２ 回転軸
６３ 係合突部
６４ 回転アーム
６５ 係止爪
【図１】
0003698767.tif 000002
【図２】
0003698767.tif 000003
【図３】
0003698767.tif 000004
【図４】
0003698767.tif 000005
【図５】
0003698767.tif 000006
【図６】
0003698767.tif 000007
【図７】
0003698767.tif 000008